Podtech/llm-jp-corpus-v4-ja_patent huggingface dataset:
(57)【要約】      （修正有）【課題】折り曲げ、切り取りができ広告情報をアピールするとともに摘まみやすく、設置・撤去・交換の時間的、労働的負担の軽減を図る折り曲げ式プライスカードを提供する。【解決手段】商品及び商品に関連する情報を記載したプライスカードの上部へ広告情報１を記載し、上部広告情報より下部にミシン目２を設け、折り曲げが自在且つ切り取りが可能となっており、設置するプライスカード用レールＢの高さに広告情報部位が収まらないサイズとする。【選択図】図２
0003225997.tif 000002
【実用新案登録請求の範囲】
【請求項１】
商品及び商品に関連する情報を記載したプライスカードの上部へ広告情報を記載し、上部広告情報より下部にミシン目を設け、折り曲げ自在且つ、切り取りが可能。また、設置するプライスカード用レールの高さに広告情報部位が収まらないサイズを特徴とする折り曲げ式プライスカード。
【考案の詳細な説明】
【技術分野】
【０００１】  本考案は設置するプライスカード用レールの高さに収まらないサイズで、収まらない部位と収まっている部位の境目にミシン目を設け、折り曲げ自在且つ、切り取りが可能であることを特徴とする折り曲げ式プライスカードに関するものである。
【背景技術】
【０００２】  スーパーマーケット、ドラッグストア、ホームセンター等各種小売店の多くにおいてプライスカード用レールを用いてそのプライスカード用レール内に収まるサイズのプライスカードが設置されている（例えば特開２０１８−３８５７４号広報参照）。
また、小売店の販売現場においては、セール情報（セール価格、セール期間等）、キャッチコピー、イラスト等の広告情報を記載したプライスカードを用いて推奨商品を消費者にアピールすることが広く行われているが、内容をすべてプライスカード内に記載、もしくはポップ等別告知物にてプライスカードとは別の物で設置している。その他、通路の狭い売り場等ではプライスカードのみの設置で通路にはみ出し歩行の妨げになるポップ等別告知物は少ない。
【先行技術文献】
【特許文献】
【０００３】
【特許文献１】特開２０１８−３８５７４号広報
【考案の概要】
【考案が解決しようとする課題】
【０００４】  従来のプライスカードは、一方向だけへの告知である。広告情報を多方向にアピールするためには別の告知物も必要となるが、プライスカードとは別に設置及び撤去作業が必要であることと、現状のプライスカードはプライスカード用レールに完全に収まっている事で取り出しに時間を要する為、作業員の時間的、労働的負担となる。また、種類の異なる告知物の製作となるため不要となった場合の廃棄物も増える。
さらに、通路に向けてはみ出しているポップ等の別告知物は歩行の妨げになることがある。
折り曲げ式プライスカードは、プライスカード用レールの高さに収まらないサイズで且つ、折り曲げることにより広告情報を目立たせる。また、プライスカードと同時の設置作業が行えることと、上部がプライスカード用レールに収まらないことで摘まみやすくなっているため、撤去作業も容易に行えることとなり作業員の時間的、労働的負担が減る。さらに、広告情報の不要時には上部を切り取り二次利用が出来るので資源の浪費を防ぐ。また、通路へのはみ出しがないため歩行の妨げにはならないことで前述の欠点をすべて解決しようとするものである。
【課題を解決するための手段】
【０００５】  本考案は、折り曲げ式プライスカードに商品及び商品に関連する情報と、広告に関連する情報を分けて記載し、広告情報下部のミシン目により折り曲げ自在及び設置するプライスカード用レールに広告情報部が収まらない高さにし、折り曲げ角度をつけて設置することで目立たせることが可能となる。また、プライスカード用レールに収まらないことで摘まみやすく撤去作業も容易となり、設置・撤去・交換の時間的、労働的負担の軽減を図ることにより問題点を解決している。広告情報の不要時には切り取ることで折り曲げ式プライスカードの二次利用が可能となる。
【考案の効果】
【０００６】  上述の様に、本考案の折り曲げ式プライスカードは商品及び商品に関連する情報・広告情報を掲げる事は勿論、ミシン目を設けたことでプライスカード用レールに収まらない部位に角度がつけられ、切り取りも容易にできるため、推奨商品を目立たせ消費者により一層アピールすることができる。広告情報の不要時も摘まみ易く簡単に撤去交換可能となっている。また、ミシン目で切り取ることで二次利用が可能となり廃棄物が減る。
【図面の簡単な説明】
【０００７】
【図１】本考案の折り曲げ式プライスカード一実施例を示す斜視図である。
【図２】本考案の折り曲げ式プライスカード一実施例を示す斜視図である。
【図３】本考案の折り曲げ式プライスカード一実施例を示す斜視図である。
【図４】従来のプライスカード一実施例を示す斜視図である。
【考案を実施するための形態】
【０００８】  折り曲げ式プライスカードＡをプライスカード用レールＢに入れ、プライスカード用レールＢに収まらない広告情報１を手で正面から押し角度をつける。また、広告情報１不要時には商品及び商品に関連する情報３を押さえ、広告情報１をミシン目２で切り取る。交換・撤去時にはプライスカード用レールＢに収まらない広告情報１を手で摘まみ差し抜く。
【符号の説明】
【０００９】Ａ  折り曲げ式プライスカード本体
Ｂ  プライスカード用レール
Ｃ  従来のプライスカード本体
１  広告情報
２  ミシン目
３  商品及び商品に関連する情報
【図１】
0003225997.tif 000003
【図２】
0003225997.tif 000004
【図３】
0003225997.tif 000005
【図４】
0003225997.tif 000006
【手続補正書】
【提出日】令和2年1月24日(2020.1.24)
【手続補正１】
【補正対象書類名】実用新案登録請求の範囲
【補正対象項目名】全文
【補正方法】変更
【補正の内容】
【実用新案登録請求の範囲】
【請求項１】
商品及び商品に関連する情報を記載したプライスカードの上部へ広告情報を記載し、上部広告情報より下部にミシン目を設け、折り曲げが自在且つ切り取りが可能となっており、設置するプライスカード用レールの高さに広告情報部位が収まらないサイズを特徴とする折り曲げ式プライスカード。
(57)【要約】      （修正有）【課題】置き石として利用されるコンクリート平板であって、夜の暗闇の中で、その布設場所を、容易に視認できるようにする。【解決手段】製造過程で、蓄光（夜光）タイル３を埋め込んで成形した、コンクリート平板とする。【選択図】図４
0003225634.tif 000002
【実用新案登録請求の範囲】
【請求項１】
コンクリート板の上面に、蓄光（夜光）タイルを埋め込むことを特徴とするコンクリート平板。
【考案の詳細な説明】
【技術分野】
【０００１】コンクリート平板（図１）は、コンクリート製の置き石である。本製品は、庭園や門内などに置いて用いる。この平板は飛び石やアプローチ石などと呼ばれ、つたい歩きを助けるためのものである。【０００２】コンクリート平板の普及サイズは、平面の一辺が３０ｃｍの正方形で、厚みは６ｃｍ、重量は約１２ｋｇである。コンクリート平板は、殆んど地面に置く（並べる）だけで用いられている。【０００３】蓄光（夜光）と呼ばれる機能を持つ素材は、無機の化合物で、昼間に太陽光を吸収して蓄積し、夜間（暗闇）で放出、即ち発光する性質をもつ。この素材は顔料にし、タイルや塗料、接着シールに利用されている。
参照○「夜光物質の誕生」
１９９６．５  日経サイエンス
○「日本蓄光物語」
２００７．    村山義彦
【背景技術】
【０００４】これまでコンクリート平板は、飛び石を主用途に広く利用されてきたが、素朴にコンクリートの塊でしかない。
【考案の概要】
【考案が解決しようとする課題】
【０００５】設置したコンクリート平板の置き場所が、暗闇の中でも分るようにしたい。とくに災害時に生じる停電時に於いて期待が大きい。
【課題を解決するための手段】
【０００６】コンクリート平板の製造過程に於いて、蓄光（夜光）機能をもつタイル（以下、蓄光（夜光）タイルと記す）を埋め込み（図４）、成形する。【０００７】本考案になるコンクリート平板に蓄光タイルを採用した理由は、蓄光素材を利用した塗料やシールでは、気象条件や擦過傷などで、耐久性に難があるからである。【０００８】コンクリート平板に埋めこむ蓄光タイル（図２、図３）の大きさに制限はないが、普及サイズの５ｃｍ平方のもの１個でよい。【０００９】蓄光タイルのコンクリート平板への埋め込みは、平板の型枠に、コンクリートを流しこむ作業と同時に、蓄光タイルを埋めこむ。両者の接着はコンクリートの接着力に依る。この埋めこみ作業で留意すべきは、平板の上面とタイルを同等にし、平滑にすることである。
【本考案の効果】
【００１０】蓄光タイルを埋めこんだコンクリート平板を用いると、暗闇の中でも点々と、平板の存在を視認でき、便利である。
【００１１】蓄光（夜光）タイルの最大の利点は、発光の爲の電源を必要としないことにある。即ち、電気や電池不要で、暗闇の中で発光する。従って災害時（停電時）には極めて有用である。
【００１２】本考案は、コンクリート平板と同様に、置き石として利用されている、コンクリート製品の「地先（ちさき）ブロック」に、応用できる。地先ブロックは、花壇などの土留めや、境界を示す爲に利用されている。図５は、地先ブロックの斜視図である。
【００１３】地先ブロックの普及サイズは、長さ６０ｃｍ、巾１０〜１５ｃｍ、重さ１５ｋｇ程である。
【００１４】図６に示すように、地先ブロックの上部に、蓄光（夜光）タイルを埋めこめば、暗闇でも視認できて便利である。
【図面の簡単な説明】
【００１５】
【図１】は、コンクリート平板の斜視図。
【図２】は、蓄光（夜光）タイルの斜視図。
【図３】は、蓄光（夜光）タイルの側面図。
【図４】は、本考案になる、蓄光（夜光）タイルを埋めこんだコンクリート平板。
【図５】は、コンクリート地先ブロックの斜視図。
【図６】は、地先ブロックに蓄光（夜光）タイルを埋めこんだ図。
【本考案を実施するための形態】
【００１６】コンクリート平板に、蓄光タイルを埋め込む位置は、平板の中心部がよい（図４）。
【符号の説明】
【００１７】１……１は、蓄光タイルの蓄光機能をもつ部分。
２……２は、蓄光タイルのコンクリート部分。
３……３は、蓄光タイル。
【図１】
0003225634.tif 000003
【図２】
0003225634.tif 000004
【図３】
0003225634.tif 000005
【図４】
0003225634.tif 000006
【図５】
0003225634.tif 000007
【図６】
0003225634.tif 000008
(57)【要約】      （修正有）【課題】常に糸を張っていなくても釣りの仕掛けが自立し、根がかりの確率を減らすことができるスイベルを提供する。【解決手段】釣り糸同士を結ぶためのスイベルの中心部に浮力体を設ける。スイベルに浮力があれば、釣りの仕掛けが水の底にベッタリにならず、自立して根掛かりが減る。【選択図】図１
0003225648.tif 000002
【実用新案登録請求の範囲】
【請求項１】
釣具の
【考案の詳細な説明】
【技術分野】
【０００１】
釣具
【考案の概要】
【考案が解決しようとする課題】
【０００２】
釣り具のスイベルは、釣り糸同士を結ぶ役目と、釣り糸のヨレを解消する役目があります（図２）
金属製の物で水中に入れると沈んでしまいます。ウキをも使用する仕掛けには関係ありませんが、ウキを使わない釣りでスイベルに浮力があるとすれば、釣りの仕掛けが水の底にベッタリにならず、自立してくれることになります。(図３)
【課題を解決するための手段】
【０００３】
スイベルに浮力を持たせる
中心部の樽型の部分(T)を浮力があって強度があるものにする、又は従来のスイベルにスイベルの重さに負けない浮力のあるものを取り付ける（図１）
【考案の効果】
【０００４】
浮くスイベルを使用することにより、常に糸を張っていなくても釣りの仕掛けが自立し(図３)、根がかりの確率も減らすことができる。
【図面の簡単な説明】
【０００５】
【図１】浮くスイベル
【図２】スイベルの説明
【図３】浮くスイベルを使用した仕掛けの一例
【考案を実施するための形態】
【０００６】
中心部の樽型の部分(T)を浮力があって強度があるものにする、又は従来のスイベルにスイベルの重さに負けない浮力のあるものを取り付ける（図１）
【実施例】
【０００７】
浮くスイベルを使用することにより、常に糸を張っていなくても釣りの仕掛けが自立し図３、根がかりの確率も減らすことができる.
【産業上の利用可能性】
【０００８】
浮くスイベルを使用することで、初心者にも簡単に釣りをすることができ、根掛かりが少なくなることで、自然環境を守ることにもつながります.
【符号の説明】
【０００９】
図２のTは、スイベル本体の樽型の接合部分をあらわしています.
【図１】
0003225648.tif 000003
【図２】
0003225648.tif 000004
【図３】
0003225648.tif 000005
【手続補正書】
【提出日】令和1年10月18日(2019.10.18)
【手続補正１】
【補正対象書類名】実用新案登録請求の範囲
【補正対象項目名】全文
【補正方法】変更
【補正の内容】
【実用新案登録請求の範囲】
【請求項１】
スイベル自体に浮力を持たせることで、釣りの仕掛けが自立し、根掛かりを防ぐことが特徴の釣具。
【手続補正書】
【提出日】令和2年1月15日(2020.1.15)
【手続補正１】
【補正対象書類名】実用新案登録請求の範囲
【補正対象項目名】全文
【補正方法】変更
【補正の内容】
【実用新案登録請求の範囲】
【請求項１】
釣り糸同士を結ぶためのスイベルにおいて、釣りの仕掛けを自立させ根掛かりを防ぐために、前記スイベルの中心部に浮力体を設けたことを特徴とするスイベル。
(57)【要約】      （修正有）【課題】ビニールのゴミ袋を一人でも取り出せるゴミ箱を提供する。【解決手段】ゴミ箱内のビニール袋が一杯の時にでも、足で踏んでおさえられるツバが、ゴミ箱の底の外周に設けられたことを特徴とするゴミ箱。【選択図】図１
0003225649.tif 000002
【実用新案登録請求の範囲】
【請求項１】
生活用品
【考案の詳細な説明】
【技術分野】
【０００１】
生活用品
【考案の概要】
【考案が解決しようとする課題】
【０００２】
ゴミ箱の中にビニール袋を入れた状態で、濡れたゴミがゴミ箱にたくさん入っている時にゴミ箱の中のビニール袋を取り出そうとした時に、重さと圧力でビニール袋を取り出すことが困難になります、その時にこの”足で踏んで抑えられるゴミ箱”があれば苦労せずに一人で取り出すことが可能になります。
【課題を解決するための手段】
【０００３】
ゴミ箱の底の部分の外周に足の裏で踏めるツバを取り付ける。
【考案の効果】
【０００４】
厨房などのゴミ箱は濡れていたりで太腿で挟むなどをすると汚れます。足で踏んで抑えられるゴミ箱のツバの部分を靴底で踏んで固定しビニール袋を抜くことで汚れず簡単に作業ができます。
【図面の簡単な説明】
【０００５】
【図１】足で踏んで抑えられるゴミ箱
【図２】実施例
【考案を実施するための形態】
【０００６】
ゴミ箱の底の外周に足で踏んで固定し押さえられるツバを取り付ける。
【実施例】
【０００７】
図２のように足で踏み、中のビニール袋を引き上げます。
【産業上の利用可能性】
【０００８】
厨房や台所のゴミなど、濡れているゴミが出るところでの作業の効率化がはかられる。
【符号の説明】
【０００９】
図１のTは足の裏で踏めるツバである。
【図１】
0003225649.tif 000003
【図２】
0003225649.tif 000004
【手続補正書】
【提出日】令和1年10月18日(2019.10.18)
【手続補正１】
【補正対象書類名】実用新案登録請求の範囲
【補正対象項目名】全文
【補正方法】変更
【補正の内容】
【実用新案登録請求の範囲】
【請求項１】
ゴミ箱内のビニール袋が一杯の時にでも、足で踏んでおさえられるツバがあるので、容易にビニール袋を一人でも取り出せる特徴を持つゴミ箱。
【手続補正書】
【提出日】令和2年1月15日(2020.1.15)
【手続補正１】
【補正対象書類名】実用新案登録請求の範囲
【補正対象項目名】全文
【補正方法】変更
【補正の内容】
【実用新案登録請求の範囲】
【請求項１】
ゴミ箱内のビニール袋が一杯の時にでも、足で踏んでおさえられるツバが、ゴミ箱の底の外周に設けられたことを特徴とするゴミ箱。
(57)【要約】      （修正有）【課題】バランスチューブを提供する。【解決手段】バランスループにおいて（１）ダイオードを用いた筋力増強器具、（２）ダイオードは無通電とする、（３）単体、もしくは複数個を連続接続する、（４）アキシャル型ダイオードを半田付けにて接続する、（５）チューブ内部にダイオードを挿入することにより効果を発する、以上の（１）〜（５）の構成からなる。【選択図】図１
0003225656.tif 000002
【実用新案登録請求の範囲】
【請求項１】
半導体を用いた筋力増強器具
半導体は無通電とする
単体、もしくは複数個を連続接続する（半導体はループさせない）
【考案の詳細な説明】
【考案の詳細な説明】
【０００１】磁気、金属を使用した健康増進ネックレス（身体に接触）等の商品はあるが本発明はチューブの中に無通電半導体を封入してループ状にて身体に装着することにより関節可動域を広げかつ筋力をアップする効果がある。
【０００２】金、チタン、鉱物等の自然材料の類似発明はあるが無通電半導体であること特徴とする。
【０００３】構造が簡単かつ電源を必要としないので安価で製作可能である。
【０００４】ループの直径を変化させることにより、首、腕、腰、足に適時装着可能。
【０００５】皮膚に直接、もしくは着衣の上からでも効果を確認できる。
【考案の効果】
【０００６】以上説明したように、本考案品を装着することにより以下の効果がある
関節の可動範囲が広がる
筋力をアップすることができる
疼痛の緩和
【図面の簡単な説明】
【０００７】
【図１】本考案に係るバランスチューブの構造を示す
【図１】
0003225656.tif 000003
【手続補正書】
【提出日】令和1年12月11日(2019.12.11)
【手続補正１】
【補正対象書類名】実用新案登録請求の範囲
【補正対象項目名】全文
【補正方法】変更
【補正の内容】
【実用新案登録請求の範囲】
【請求項１】
バランスループにおいて
（１）ダイオードを用いた筋力増強器具、
（２）ダイオードは無通電とする、
（３）単体、もしくは複数個を連続接続する、
（４）アキシャル型ダイオードを半田付けにて接続する、
（５）チューブ内部にダイオードを挿入することにより効果を発する、
以上の（１）〜（５）の構成からなるバランスチューブ。
【手続補正２】
【補正対象書類名】明細書
【補正対象項目名】全文
【補正方法】変更
【補正の内容】
【考案の詳細な説明】
【考案の詳細な説明】
【０００１】磁気、金属を使用した健康増進ネックレス等の商品はあるが
本発明はチューブの中に無通電ダイオードを封入してループ状にて身体に装着することにより関節可動域を広げかつ筋力をアップする効果がある。
【０００２】金、チタン、鉱物等の自然材料の類似発明はあるが無通電ダイオードであること特徴とする。
【０００３】構造が簡単かつ電源を必要としないので安価で製作可能である。
【０００４】ループの直径を変化させることにより、首、腕、腰、足に適時装着可能。
【０００５】皮膚に直接、もしくは着衣の上からでも効果を確認できる。
【考案の効果】
【０００６】以上説明したように、本考案品を装着することにより以下の効果がある
関節の可動範囲が広がる
筋力をアップすることができる
疼痛の緩和
【図面の簡単な説明】
【０００７】
【図１】  本考案に係るバランスチューブの構造を示す
【手続補正４】
【補正対象書類名】図面
【補正対象項目名】図１
【補正方法】変更
【補正の内容】
【図１】
0003225656.tif 000004
(57)【要約】      （修正有）【課題】ワンタッチかえブラシを提供する。【解決手段】柄に対してブラシが取り外し自由に出来る。【選択図】図２
0003225610.tif 000002
【実用新案登録請求の範囲】
【請求項１】
さまざまなブラシで［図２］の「装着可能な柄の部分（１）」に［図２］の「装着可能な柄の部分（２）」を取り外し自由に出来る装着簡単なブラシ。
【考案の詳細な説明】
【考案の概要】
【０００１】市販されているさまざまなブラシは図１の▲２▼のように先端部分が特に消耗が激しくブラシ全体を有効に使えない為、ゴミ、ホコリ汚れなど取り除く事が出来ないという欠点があるので使いづらくなる為捨ててしまうのでもったいないです
ブラシ全体の先端が損傷した場合、損傷していない部分があっても、ブラシの機能を果たさなくなります。
そこでブラシが消耗したら［図２］のような柄の所をワンタッチで取り外し出来るようにしまた新しいブラシを取り付けて使えるようにすれば効果的であります。
製造、販売している会社も替えブラシ付ブラシを作ることにより今の販売方法より安価でより沢山消費者に提供できると思います。
消費者も使いやすくて安価でしたら家計にも良いと思います。
【図１】
0003225610.tif 000003
【図２】
0003225610.tif 000004
【手続補正書】
【提出日】令和1年12月23日(2019.12.23)
【手続補正１】
【補正対象書類名】実用新案登録請求の範囲
【補正対象項目名】全文
【補正方法】変更
【補正の内容】
【実用新案登録請求の範囲】
【請求項１】
柄に対してブラシが取り外し自由に出来ることを特徴とするワンタッチ替えブラシ
【手続補正２】
【補正対象書類名】明細書
【補正対象項目名】全文
【補正方法】変更
【補正の内容】
【考案の詳細な説明】
【考案の詳細な説明】
市販されているブラシを購入して使ってすぐ
［図１］の〔損傷したブラシ（２）〕のように先端部分が特に消耗が激しくなります。
先端部分が消耗するとゴミ、ホコリ、汚れなど取り除く事が出来なくなったり使いづらくなる為損傷していない部分があっても捨ててしまいます。
そこでブラシが消耗したら［図２］のような柄の所をワンタッチで取り外し出来るようにしまた新しいブラシを取り付けて使えるようにすれば効果的であります。
製造、販売している会社も替えブラシ付ブラシを作ることにより今の販売方法より安価でより沢山消費者に提供できると思います。
消費者も使いやすくて安価でしたら家計にも良いと思います。
【図面の簡単な説明】
【図１】は〔損傷したブラシ（２）〕の平面図を表す図である。
【図２】は〔装着可能な柄の部分（１）〕に〔装着可能なブラシ（２）〕を装着しようとしている平面図を表す図である。
(57)【要約】      （修正有）【課題】人が立ったときの姿勢がそのまま寝姿勢となるような安眠用の枕を提供する。【解決手段】生地５が袋状に形成され、内部にクッション材６が充填され枕を構成している。枕の、人の後頭部を支持するエリア２ａの中央部には、枕を厚み方向に貫通する横長の穴８が設けられ、人の後頭部を枕のエリア２ａに載せたとき、該エリア２ａ上の後頭部が沈み、理想の寝姿を実現する。【選択図】図３
0003225673.tif 000002
【実用新案登録請求の範囲】
【請求項１】
生地５を袋状に形成し、内部にクッション材６を充填した枕であって、人の後頭部を支持するエリア２ａの中央部に、枕を厚み方向に貫通する穴８を設け、人の後頭部を前記エリア２ａに載せたとき、該エリア２ａ上の後頭部が沈みやすくなるようにし、前記穴８を枕の左右方向に延びる細長形状とし、該細長形状の穴８の長手方向の幅を人の後頭部の横幅よりも長くしたことを特徴とする枕。
【請求項２】
枕を、人の後頭部を支持するエリア２ａと、人の頚部を支持するエリア２ｂとで構成し、該エリア２ａ,２ｂの境界に生地から成る仕切り４を設け、両エリア２ａ，２ｂの内部間のクッション材６の相互の移動を遮断したことを特徴とする請求項１に記載の枕。
【考案の詳細な説明】
【技術分野】
【０００１】
本考案は生地で囲まれた内部にクッション用充填材が充填された枕に関する。
【背景技術】
【０００２】
腹臥位用寝具セット分野では、鼻口穴部を設けた枕が知られている（例えば特許文献１参照）。
【先行技術文献】
【特許文献】
【０００３】
【特許文献１】特開２０１９−９８１０２号公報
【考案の概要】
【考案が解決しようとする課題】
【０００４】
本考案は、後頭部を支持するエリアに後頭部を沈め、人が立ったときの姿勢がそのまま寝姿勢になるような状態を実現することができる枕を提供することを目的とするものである。
【課題を解決するための手段】
【０００５】
上記目的を達成するため、本考案は、生地５を袋状に形成し、内部にクッション材６を充填した枕であって、人の後頭部を支持するエリア２ａの中央部に、枕を厚み方向に貫通する穴８を設け、人の後頭部を前記エリア２ａに載せたとき、該エリア２ａ上の後頭部が沈みやすくなるようにし、前記穴８を枕の左右方向に延びる細長形状とし、該細長形状の穴８の長手方向の幅を人の後頭部の横幅よりも長くしたことを特徴とする。
また本考案は、枕を、人の後頭部を支持するエリア２ａと、人の頚部を支持するエリア２ｂとで構成し、該エリア２ａ,２ｂの境界に生地から成る仕切り４を設け、両エリア２ａ，２ｂの内部間のクッション材６の相互の移動を遮断したことを特徴とするものである。
【考案の効果】
【０００６】
本考案は、後頭部を支持するエリアに穴を設け、後頭部を沈めることができ、理想的な寝姿勢を実現することができ、しかも該穴を左右に延びる横長の形状としたので、寝返りなどの後頭部の移動にも対応することができる。
【図面の簡単な説明】
【０００７】
【図１】枕の平面図である。
【図２】枕の正面図である。
【図３】Ａ−Ａ線断面図である。
【考案を実施するための形態】
【０００８】
以下に本考案の構成を添付した図面を参照して詳細に説明する。
図は、本考案の一実施形態による枕を示し、本体が頭部を支えるエリア２ａと、頚部を支えるエリア２ｂとから構成され、エリア２ａとエリア２ｂは生地５により、袋状に形成され、仕切り４により分けられている。
【０００９】
枕本体２の表面生地５及び仕切り４は、ポリエステルとポリウレタンの混合から成る柔軟性のある合成繊維で構成され、袋状に形成された枕本体２の内部には、弾力性に富んだ粒子状のポリスチレンビーズとポリエステルわたとの配合から成るクッション材６が充填されている。
【００１０】
枕本体２の生地や仕切り４の素材及びクッション材６の素材は種々のものを使用することができ、実施例に使用した素材に特に限定されるものではなく、他の表面生地素材や、低反発ウレタンフォーム、パイプ、羽根、そばから等のクッション用充填材を用いることができる。
【００１１】
本実施形態では、エリア２ａの長手方向の幅は、約６０ｃｍ、短手方向の最大幅は、約１９ｃｍ、厚さは約９ｃｍに設定され、エリア２ｂの長手方向の幅は約６０ｃｍ、短手方向の幅は約１０ｃｍ、厚さは約８ｃｍに設定されている。
エリア２ａの中央には、左右横方向に細長状に延びる穴８が形成されている。
本実施形態では、穴８の長手方向の幅は約１３ｃｍ、幅は約２ｃｍに設定され、エリア２ａを厚さ方向に貫通してエリア２ａの中央に形成されている。
【００１２】
枕本体２を、エリア２ａとエリア２ｂに仕切る仕切り４は、枕本体２の内部で充填材６が使用時、動きすぎないようにしている。これにより枕本体２に安定感を与えている。
エリア２ａの真ん中に形成された横長の穴８は、この部分に後頭部がはまり沈みこむことから、理想の寝姿勢といわれる「人が立ったときの姿勢がそのまま寝姿勢になる状態」を実現している。エリア２ｂは、頚椎を安定的に支える役目を担当し、寝返りする際の横の動きに対応するものである。穴８の平面形状を本実施形態のように、幅狭で横長形状とした場合には、円形とした場合に比し後頭部を支持する受圧面積を大きく取ることができ、後頭部を安定的に支持することができ、寝返りなどの後頭部の移動にも対応することができる。
【符号の説明】
【００１３】
２    本体
２ａ  エリア
２ｂ  エリア
４    仕切り
５    生地
６    充填材
８    穴
【図１】
0003225673.tif 000003
【図２】
0003225673.tif 000004
【図３】
0003225673.tif 000005
(57)【要約】【課題】本考案は、細胞代謝を調節することができる栄養サプリメントを提供する。【解決手段】本考案の栄養サプリメント１０には、、ソフトカプセル１２が含まれる。ソフトカプセル１２には、表面に複数の凸状のリブ２２があり、ソフトカプセル１２の内部に液体栄養組成物１４が含まれている。凸状のリブ２２は、ソフトカプセル１２の表面に斜めに延びている。液体栄養組成物１４には、ビタミン、アミノ酸、Ｄ糖などの成分が含まれており、細胞の老化と酸化を遅らせ、細胞の成長を助け、細胞の代謝を調節できる栄養補助効果がある。【選択図】図１
0003225671.tif 000002
【実用新案登録請求の範囲】
【請求項１】
ソフトカプセルが含まれ、前記ソフトカプセルの表面には複数のリブが設けられ、液体栄養組成物が前記リブに含まれ、前記液体栄養組成物にはビタミン、アミノ酸、およびＤ糖が含まれ、
前記液体栄養素生物は、細胞の老化と酸化を遅らせ、細胞の成長を助け、細胞の代謝を調節する栄養補助食品の効果がある、栄養サプリメント。
【請求項２】
隆起した前記リブが前記ソフトカプセルの表面上で前記ソフトカプセルの中心軸の方向に斜めに延びて前記ソフトカプセルに螺旋状に巻き付いており、
前記液体栄養組成物がグルタチオンであるチオールをさらに含み、
前記ビタミンはビタミンＢ３とリン酸化された水溶性ビタミンとを含み、前記リン酸化された水溶性ビタミンはユビキノン（コエンザイムＱ１０）であり、前記アミノ酸は親水性のα−ヒドロキシアミノ酸である、請求項１に記載の栄養サプリメント。
【考案の詳細な説明】
【技術分野】
【０００１】
この作成は栄養補助食品に関連しており、より具体的には、細胞代謝を調節できる栄養サプリメントを指す。
【背景技術】
【０００２】
癌などの主要な病気の治療によると、患者の栄養状態は治療の結果に影響を与える。関連研究により、患者の栄養状態が良くなればなるほど、治療の副作用や感染率が低くなり、治療がより効果的になることが確認されている。さらに、十分な栄養補給により、治療過程で損傷した細胞組織を修復および再構築することができる。この目的のために、主要な病気の治療に使用できる多くの栄養補助食品がすでに市場に出回っている。
【０００３】
また、ソフトカプセルタイプの液体栄養補助食品または医薬品が知られている。これらのソフトカプセルの表面は滑らかであり、嚥下時に食道に詰まる状況を減らすことができる。しかし、実際には、嚥下者が食道を滑らかにするために消費する水の量があまりにも少ないと、ソフトカプセルが食道に付着する場合がしばしばある。
【考案の概要】
【考案が解決しようとする課題】
【０００４】
この考案の主な目的は、食道への付着の可能性を減らすだけでなく、細胞の老化と酸化を遅らせ、細胞の成長を助け、細胞の代謝を調節できる栄養補助食品の効果も持つ、細胞の代謝を調節できる栄養サプリメントを提供することである。
【課題を解決するための手段】
【０００５】
前述の目的を達成するため、本考案の細胞代謝を調節することができる栄養サプリメントには、ソフトカプセルが含まれ、前記ソフトカプセルは、表面に複数のリブを備え、内部に液体栄養組成物を含み、前記リブはソフトカプセルの表面で、前記ソフトカプセルの中心軸の方向に斜めに伸びて前記ソフトカプセルに螺旋状に巻き付いており、前記液体栄養組成物にはビタミン、アミノ酸、Ｄ糖、その他の成分が含まれている。
前記液体栄養素生物は、細胞の老化と酸化を遅らせ、細胞の成長を助け、細胞の代謝を調節する栄養補助食品の効果がある。
【図面の簡単な説明】
【０００６】
【図１】本考案の好ましい一実施形態の斜視図である。
【図２】本考案の好ましい一実施形態における液体栄養組成物の成分の重量比を示すグラフである。
【考案を実施するための形態】
【０００７】
以下に、この考案の好ましい一実施形態を列挙し、図面と併せてさらに詳細な説明をする。
【０００８】
（一実施形態）
まず、図１を参照すると、本考案の好ましい一実施形態による栄養サプリメント１０は、ソフトカプセル１２および液体栄養組成物１４を含む。
【０００９】
ソフトカプセル１２は、ゼラチン、褐藻、可塑剤、または他の栄養素との混合物でできており、液体栄養組成物１４のコーティング材として、人間の消化器系で分解することができ、らせん状に斜めに延びるリブ２２を表面に備えている。
【００１０】
液体栄養組成物１４は、ソフトカプセル１２に含まれており、ビタミン、アミノ酸、Ｄ糖、およびチオールを含む。
ビタミンは、ビタミンＢ３およびリン酸化された水溶性ビタミンを含む。これらは代謝の機能と血液閉塞の低減効果を有する。リン酸化された水溶性ビタミンは補酵素、例えばニコチンアミドアデニンジヌクレオチド（ＮＡＤ、Ｃ21Ｈ27Ｎ7Ｏ14Ｐ2、補酵素Ｉ）またはユビキノン（ＡＤＰリボシル化反応）であり、コエンザイムＱ１０は、フリーラジカルと戦い、老化を遅らせることができる。
アミノ酸は、代謝を触媒することができるアルギニンなどの親水性α−ヒドロキシアミノ酸である。
Ｄ糖は、細胞の成長と分化を支援する機能を持っている。
チオールは、例えばアルコールベースのグルタチオン（ＧＳＨ）のｐＨ値は約７．５〜８．５であり、抗酸化効果がある。
ビタミンＢ３、リン酸化された水溶性ビタミン、アミノ酸、Ｄ糖、およびチオールの最適な重量を図２に示す。
【００１１】
（考案の効果）
以上、本考案の栄養サプリメント１０の特徴と効果は次のとおりである。
【００１２】
第一に、ソフトカプセル１２の表面の隆起したリブ２２は、飲み込まれた後の栄養サプリメント１０が同時に飲み込まれた水によって飲み込まれやすくするのを助け、飲み込んだ人の食道を通過する速度を上げ、食道にくっつく可能性を減らす。
【００１３】
第二に、液体栄養組成物１４は、ビタミンＢ３、リン酸化された水溶性ビタミン、アミノ酸、Ｄ糖、およびチオールで構成され、細胞の老化と酸化を遅らせ、細胞の成長を助け、細胞の代謝を調節できる栄養補助効果を持っている。
【００１４】
要約すると、この考案によって提供される栄養サプリメントは、細胞の代謝を調節することができる。ソフトカプセルの表面のリブは、水を飲むと食道の通過を加速し、食道にくっつく可能性を減らす。さらに、液体栄養組成物は、細胞の老化と酸化を遅くし、細胞の成長を助け、細胞代謝を調節する効果がある。これにより、本考案の栄養サプリメントは、優れた栄養補助食品である。
【符号の説明】
【００１５】
１０  栄養サプリメント、１２  ソフトカプセル、１４  液体栄養組成物、２２  リブ
【図１】
0003225671.tif 000003
【図２】
0003225671.tif 000004
(57)【要約】      （修正有）【課題】日常的に室内の祭壇や仏壇にも使えるように、小型化し、形状をハスの花になぞらえて、仏具としての価値を持たせた線香点火器を提供する。【解決手段】線香点火器は、ハスの花を模した形状の本体１の中央部に線香着火用の点火部２を備え、点火部は、内部に加熱部電源用の乾電池を格納する台座ａと、台座の上面に線香着火用の加熱着火部と、台座の側面には、加熱着火部への通電をＯＮ／ＯＦＦするスイッチｂが、設けられている。【選択図】図１
0003225667.tif 000002
【実用新案登録請求の範囲】
【請求項１】
ハスの花を模した形状の本体中央部に線香着火用の点火部を備え、
前記点火部は、内部に加熱部電源用の乾電池を格納する台座と、前記台座の上面に線香着火用の加熱着火部と、前記台座の側面には、前記加熱着火部への通電をＯＮ／ＯＦＦするスイッチが、設けられていることを特徴とする線香点火器。
【考案の詳細な説明】
【技術分野】
【０００１】  本考案は乾電池とニクロム線を使い、ＯＮ、ＯＦＦによって、線香に火をつける線香点火器に関するものである。
【背景技術】
【０００２】  従来の着火装置は、屋外での使用を想定しているため大型である。
従来の着火装置は、概ね屋外での使用を目的として墓地で使用する形態となっていた。
【先行技術文献】
【特許文献】
【０００３】
【特許文献１】実用新案登録第３０８９４２０号公報
【考案の概要】
【考案が解決しようとする課題】
【０００４】  従来の着火装置は、概ね屋外での使用を目的としているが、本来、線香は、故人、先祖を弔うために手向けるものである。従って日常的に、室内の祭壇や仏壇でも利用できるものが望まれていた。（特許文献１参照）
【課題を解決するための手段】
【０００５】  本発明の線香点火器は、ハスの花を模した形状の本体中央部に線香着火用の点火部を備え、前記点火部は、内部に加熱部電源用の乾電池を格納する台座と、前記台座の上面に線香着火用の加熱着火部と、前記台座の側面には、前記加熱着火部への通電をＯＮ／ＯＦＦするスイッチが、設けられていることを特徴とする。
【考案の効果】
【０００６】  本考案の線香点火器によって、日常的に室内の祭壇や仏壇にも使えるように、小型化し、形状をハスの花になぞらえて、仏具としての価値を持たせた。
【図面の簡単な説明】
【０００７】
【図１】本考案の線香点火器の全体図
【図２】本考案の線香点火器の側面図、および、平面図
【図３】本考案の線香点火器の使用状態を示す説明図
【考案を実施するための形態】
【０００８】  図１は、  本考案の線香点火器の全体図を示すもので、本考案の線香点火器本体１をハスの花の形にし、中央部に点火部２を備える。
点火部２は、台座ａ、スイッチｂ、加熱着火部ｃ、から構成される。
線香点火器本体１、点火部２は、樹脂や金属、木材からなり、難燃性のあるものが好ましい。
【０００９】  図２について、各部の構成を説明する。
図２−１は、本体の線香点火器の側面図を表し、点火部２の上面に加熱点火部ｃを備える。加熱点火部ｃはニクロム線を網目状に形成し、台座ａの内部には、加熱部電源用の乾電池が格納され、スイッチｂのＯＮ／ＯＦＦによって通電される。
図２−２は、本考案の線香点火器の平面図を表し、台座ａの側面にスイッチｂを備えることを表している。
【００１０】  図３は本考案の線香点火器の使用状態を示す説明図であって、線香点火器本体１のスイッチｂをＯＮにすることで、ニクロム線に通電し、加熱点火部ｃが過熱する。加熱点火部ｃにより線香３に着火することができ、着火した後にスイッチｂをＯＦＦにする。
【００１１】  以上のように本考案の線香点火器を構成することによって、小型化が実現でき、ＯＮ、ＯＦＦの切り替えによって点火できるものとした。炎を出さないため、火災などの事故を防ぎ、高齢者や障害のある人にも簡単に操作できる。
【００１２】  本考案の線香点火器は、ハスの花の形にし、仏具として経机など、卓上に置いても遜色なき形状にした。また、小型化し、墓参などにも持ち運べるよう配慮した。電池式で弱い電流が流れることで、ニクロム線が赤くなり、線香に着火するもので、火災、煙害の心配がなく、高齢者、こどもにも容易に扱えるものである。
【００１３】  線香を多く束ねて着火した場合、煙による呼吸器疾患の人への影響、室内の天井、壁の変色などが見受けられる。
線香は、あくまでも故人、先祖の霊を慰めるために手向けるものであるから、たとえ、１本〜数本でも点火できればよいのではないか。
点火器をＯＮにして、ニクロム線が過熱され、電流が流れても、わずかなので、火災、事故は防げる。
【００１４】  また、墓地での着火の場合どうしても束にした線香に火をつけたいというのであれば、その先端に、燐などを付着させ、点火しやすくする。
また、点火器は、用途にあわせて大きさを変えたり、乾電池ではなくコンセント電源使用にしても良い。
【符号の説明】
【００１５】  １  本体
２  点火部
３  線香
ａ  台座
ｂ  スイッチ
ｃ  加熱着火部
【図１】
0003225667.tif 000003
【図２】
0003225667.tif 000004
【図３】
0003225667.tif 000005
(57)【要約】      （修正有）【課題】グランドに穴を開けることなくプレイできるホールカップを提供する。【解決手段】本体カップ１１と、フラグ立て１２と、フラグ１３からなり、本体カップ１１は、円錐台状で中央に円柱状のホール１１２を備え、ホールの底面にフラグ立てを通すためのフラグ立て穴１１３を備え、フラグ立て１２は、円板に支柱を備えており、フラグ立て穴１１３に、フラグ立て１２の支柱を挿入して、その支柱にフラグを被せて取り付ける。【選択図】図２
0003225668.tif 000002
【実用新案登録請求の範囲】
【請求項１】
本体カップ１１と、フラグ立て１２と、フラグ１３からなり、本体カップ１１は、円錐台状で中央に円柱状のホール１１２を備え、ホールの底面にフラグ立てを通すためのフラグ立て穴１１３を設け、フラグ立て１２は、円板１２２に支柱１２１を備えており、フラグ立て穴１１３に、フラグ立て１２の支柱１２１を挿入して、その支柱１２１にフラグ１３を被せて取り付けるようにしたことを特徴とするホールカップ。
【請求項２】
前記本体カップ１１の円錐台状の斜面の表面に複数の突起を備えたことを特徴とする請求項１記載ホールカップ。
【考案の詳細な説明】
【技術分野】
【０００１】
マレットゴルフをグランドで簡単にプレイするためのホールカップに関する。
【背景技術】
【０００２】
マレットゴルフは、カップを狙ってスティックでボールを打ち、カップにいれる打数を競うゲームである。マレットゴルフでは、グランドに約２０ｃｍ、土を掘ってカップを埋め込んでいる。
【先行技術文献】
【特許文献】
【０００３】
【特許文献１】実開平６−１１７６４公報
【考案の概要】
【考案が解決しようとする課題】
【０００４】
レットゴルフでは、グランドでプレイするためには、カップを置く複数個所にいちいち、土を掘って穴を開けて、そこにカップを埋め込む必要がある。グランドは、土が固くて穴を開けることが難しい場合や、穴を開けるのを禁止している場合がある。
【課題を解決するための手段】
【０００５】
本体カップ１１と、フラグ立て１２と、フラグ１３からなり、本体１１は、円錐台状で中央に円柱状のホール１１２を備え、ホールの底面にフラグ立てを通すためのフラグ立て穴１１３を設け、フラグ立て１２は、円板１２２に支柱１２１を備えており、フラグ立て穴１１３に、フラグ立て１２の支柱１２１を挿入して、その支柱１２１にフラグ１３を被せて取り付けるようにしたことを特徴とするホールカップ。
【０００６】
本体カップ１１の円錐台状の斜面の表面に複数の突起を備えたことを特徴とするホールカップ。
【考案の効果】
【０００７】
グランドに穴を開けることなくプレイできるホールカップを提供する
【図面の簡単な説明】
【０００８】
【図１】簡易マレットゴルフのイメージ図
【図２】本考案のホールカップの構成
【図３】本考案のホールカップの組立図      （ａ）本体  （ｂ）フラグ立て  （ｃ）組立図  （ｄ）フラグの取付
【図４】本体カップの円錐台状の斜面の表面に複数の突起を設けた実施例
【図５】本体カップが左右不均等な実施例
【考案を実施するための形態】
【０００９】
図１は、簡易マレットゴルフのイメージ図である。
マレットゴルフに類するゲームを、ボール２、スティック３、及び、本考案のホールカップ１でプレイする様子を示す。本考案のホールカップ１をグランドに置くだけで、容易に
ゲームを行うことができる
【００１０】
図２は、本考案のホールカップの構成である。本考案のホールカップは、本体１１と、フラグ立て１２と、フラグ１３からなる。本体１１は、円錐台状で中央に円柱状のホール１１２を備えた土台１１１と、円柱状の穴の底面にフラグ立てを通すためのフラグ立て穴１１３を備える。フラグ立て１２は、円板１２２の真ん中に支柱１２１を立てている。
【００１１】
図３は、ホールカップの組立図である。（ａ）は本体、（ｂ）はフラグ立て、（ｃ）は組立て図、（ｄ）はフラグを取り付けた状態を示す。（a）のホールカップの底面にあけたフラグ立て穴１１３に、（b）のフラグ立て１２の支柱１２１を下方向から挿入して（ｃ）のように組み立て、フラグを上から支柱１２１に被せて（d）のように取り付ける。
【００１２】
図４は、本体カップ１１の円錐台状の土台１１１の斜面の表面に複数の突起を設けた本体カップ１４の実施例である。
本体カップの円錐台状の土台１１１の斜面の表面をブツブツ（小突起状）にする事で高齢者、子供にも容易にホールカップにボールを入れられる。また、室内でも競技が可能となる。理由としてスペースをとらず競技を行える。
【００１３】
図５は、本体カップの円錐台状の土台１１１の斜面の傾斜が左右不均等な本体カップ１５の実施例である。
競技会に於いて、難度を上げて、協議そのものを楽しくする。技術力のアップにつながるホールカップとして考える。
【産業上の利用可能性】
【００１４】
マレットゴルフに類するゲームを簡易に実現でき普及促進できる。
【符号の説明】
【００１５】
１  ホールカップ
１１  本体カップ
１１１  土台
１１２  ホール
１１３  フラグ立て穴
１２  フラグ立て
１２１  支柱
１２２  円板
１３  フラグ
１４  複数の突起を設けた本体カップ
１５  傾斜が左右不均等な本体カップ
２  ボール
３  スティック
【図１】
0003225668.tif 000003
【図２】
0003225668.tif 000004
【図３】
0003225668.tif 000005
【図４】
0003225668.tif 000006
【図５】
0003225668.tif 000007
(57)【要約】      （修正有）【課題】従来の自転車がクランクペダルで走行するのは基本的に駆動力を弱めると云う欠点があるので、長いペダルレバーを後輪に具えて上下往復運動によって高い効率で走行する自転車を提供する。【解決手段】先端にペダル２、２’、先端とは反対側の端部にフリーホイールを固着したレバー１と、前記レバーが左右に設備された後輪ハブと、該左右レバーに、各々バネ４、４’を装着し、夫々バネの他端を、車体後部に設備した構造になる。【選択図】図１
0003225661.tif 000002
【実用新案登録請求の範囲】
【請求項１】
先端にペダルを具え、フリーホイールを元部位に固着したレバーを、それぞれ左右から、後輪ハブに連結し、左右レバーにバネを設備して、車体に据え付けた構造になる自転車。
【請求項２】
上記請求項１の後輪ハブにフリーホイールを設備する自転車。
【考案の詳細な説明】
【考案の詳細な説明】
【技術分野】
【０００１】本考案は左右の長い中空のペダルレバーをバネに支持されて、上下に往復運動することで効率の良い駆動力によって、軽快に走行する自転車に関する。
【背景技術】
【０００２】従来のクランクによって走行する自転車は駆動力が弱く、又電動による補助駆動装置も重く、バッテリーの充電をしなければならず、基本的にクランクによって駆動する自転車は効率が良くないと云う欠点がある。さらに、拙者の実用新案登録３１１５８５３号による複雑な内歯車や歯車の連結によって、レバーの上下運動で走行する自転車は効率を弱める欠点を持っている。
【考案が解決しようとする課題】
【０００３】  自転車においてペダルレバーを長くして往復運動した場合はクランク運動よりも効率は良くなるが、一定の人力では複雑な機構があると、効率を弱めることになる。
【課題を解決するための手段】
【０００４】  上記の諸課題を解決するために従来の自転車にあるクランク機構に換えて、さらに、内歯車に、平歯車を内接連結し、長い中空レバーの上下運動による機構に替え、長い中空ペタルレバーの元部位にフリーホイールを設備し、後輪ハブに連結し、夫々左右ペダルレバーを支持するバネを設けて車体本体部に据え付けて課題の解決を計る。
【考案の実施例】
【０００５】  実施例について図面を参照して説明すると、図１に示すように中空の長いレバー（１）、（１’）の先端にペダル（２）、（２’）を設けて元部にフリーホイール（３）、（３’）を前進方向に駆動回転し、後方向には空回りするように具え付ける。後輪主軸（５）に自在に回転するように嵌め合わされた後輪ハブの左右両側面にフリーホイール（３）、（３’）を据付け、左右のペダルレバーがそれぞれ上下運動すると、後輪ハブは一体となって回転することになる。さらに、後輪ハブはフリーホイール（６）を設備すると、後輪の前進回転はフリーとなって、より軽快に回転する。
【考案の効果】
【０００６】  本考案は上記の構成、実施例によって従来のクランクによる自転車では不可能な駆動力を得ることが出来、又ペダルレバーを具えた場合の複雑な機構の問題を除去した構成である。そしてベダルレバーに据え付けたバネ（４，４’）で、左右交互ばかりでなく、左右随意に上下運動を行えて、長い中空のペダルレバーが上下往復運動することで、高率な駆動力を得る自転車が提供される。
【図面の簡単な説明】
【０００７】
【図１】  実用新案登録請求の範囲請求項１及び２の基本となる側面図である。
【図２】  上記請求項１及び２の平面図である。
【図３】  上記請求項１及び２の実施態様図である。
【符号の説明】１、１’      レバー
２、２’      ペダル
３、３’      フリーホイール
４、４’      バネ
５            後輪主軸
６            フリーホイールを設けたハブ
７            車輪
８            車体本体部
【図１】
0003225661.tif 000003
【図２】
0003225661.tif 000004
【図３】
0003225661.tif 000005
【手続補正書】
【提出日】令和2年1月22日(2020.1.22)
【手続補正１】
【補正対象書類名】実用新案登録請求の範囲
【補正対象項目名】全文
【補正方法】変更
【補正の内容】
【実用新案登録請求の範囲】
【請求項１】
先端にペダル、先端とは反対側の端部にフリーホイールを固着したレバーと、前記レバーが左右に設備された後輪ハブと、該左右レバーに、各々バネを装着し、夫々バネの他端を、車体後部に設備した構造になることを特徴とする自転車。
【請求項２】
上記請求項１の後輪ハブに、フリーホイールを設備した構造になることを特徴とする自転車。